(57)【要約】【課題】ドア本体とドア枠との間の隙間への幼児等のうっかりした指の挟み込みをよりしっかりと防ぐことを可能にする、新規な構成の指挟み防止装置を提供する。【解決手段】本考案の一実施形態に係る指挟み防止装置１０は、１枚のシート体としてのシート２０を備える。指挟み防止装置１０は、シート２０の第１面にドア本体への取付面を備える第１取付部２４ａと、シート２０の中間部を介して第１取付部２４ａにつながるとともに前記第１面にドア枠への取付面を備える第２取付部２４ｂと、前記第１取付部と前記中間部との間に延びるように設けられる第１溝部２２ａであって、前記第１面の裏側の第２面に設けられる第１溝部と、前記第２取付部と前記中間部との間に延びるように設けられる第２溝部２２ｂであって、前記第２面に設けられる第２溝部とを備える。【選択図】図３
0003228126.tif 000002
【実用新案登録請求の範囲】
【請求項１】
１枚のシート体を備える指挟み防止装置であって、
前記シート体の一端部側をドア本体に取り付けるための第１取付部であって、前記シート体の第１面に取付面を備える、第１取付部と、
前記シート体の他端部側をドア枠に取り付けるための第２取付部であって、前記シート体の中間部を介して前記第１取付部につながるとともに、前記第１面に取付面を備える、第２取付部と、
前記第１取付部と前記中間部との間に延びるように設けられる第１溝部であって、前記シート体における前記第１面の裏側の第２面に設けられる第１溝部と、
前記第２取付部と前記中間部との間に延びるように設けられる第２溝部であって、前記第２面に設けられる第２溝部と
を備えた、指挟み防止装置。
【請求項２】
前記第１面において、前記中間部に少なくとも１つの溝が設けられている、
請求項１に記載の指挟み防止装置。
【請求項３】
前記シート体は、発砲シートである、
請求項１又は２に記載の指挟み防止装置。
【考案の詳細な説明】
【技術分野】
【０００１】
本考案は、ドアを開閉する際に、ドア本体とドア枠との間に生じる隙間を覆うことで、この隙間に指が挟まれることを防止するようにされた指挟み防止装置に関するものである。
【背景技術】
【０００２】
従来から、ドアを開閉する際に、幼児等がドア本体とドア枠（縦枠）との間に生じる空隙つまり隙間に誤って指を挟んでしまう事例が報告されている。ドア本体とドア枠との間に指が挟まれる事故を防止する指挟み防止装置として、様々な構造が提案されている。
【０００３】
例えば、特許文献１は、ドア本体とドア枠の間にできるＶ字の隙間に乳幼児が指を挟まれてけがをしないように、ドアを開いたときに、ドア本体とドア枠との間に生じる隙間を安全フィルムによりカバーすることを開示する。特許文献１では、安全フィルムの一端は、ドア枠に両面テープとビス、プラスチック製のプレート板で固定される、とされている。
【０００４】
更に、特許文献２は、枠付きドアの指挟み防止装置を開示する。この装置は、鈍角に屈曲した略Ｖ字状の断面形状をなすカバープレートをドア枠にスプリング丁番を介して固定することを開示する。スプリング丁番を用いることによって、カバープレートをドア開方向への付勢状態として、その常時の追従回動自在性を確保するようにしている。カバープレートの固定されている側とは反対側の自由端に、摺接部材が配置されている。摺接部材は、摩擦抵抗が可及的に小さく且つ自由端の対接摺接に際して騒音を発しないように、例えば合成樹脂、合成ゴム等の材料を用いて自由端に被嵌固定したもの、とされている。
【先行技術文献】
【特許文献】
【０００５】
【特許文献１】特開２００７−２４７２３１号公報
【特許文献２】特許第５６１９４９６号公報
【特許文献３】特許第６５１０７２５号公報
【考案の概要】
【考案が解決しようとする課題】
【０００６】
しかしながら、特許文献１に記載の安全フィルムでは、その一端をドア枠に固定するだけであるので、ドアの開閉時、安全フィルムのドア本体への追従性の点で懸念がある。また、特許文献２に記載の指挟み防止装置でも、スプリング丁番を用いることによって、カバープレートをドア開方向への付勢状態としているだけであり、ドア本体とカバープレートとの間に隙間が生じる懸念がある。
【０００７】
そこで、本考案者は、鋭意工夫し、上記課題に鑑みて創案した指挟み防止装置を提案した（特許文献３参照）。更に、本考案者は、鋭意工夫し、更なる指はさみ防止装置を考案した。
【０００８】
本考案の目的は、ドア本体とドア枠との隙間への幼児等のうっかりした指の挟み込みを防ぐことを可能にする、新規な構成の指挟み防止装置を提供することにある。
【課題を解決するための手段】
【０００９】
本考案の一態様は、
１枚のシート体を備える指挟み防止装置であって、
前記シート体の一端部側をドア本体に取り付けるための第１取付部であって、前記シート体の第１面に取付面を備える、第１取付部と、
前記シート体の他端部側をドア枠に取り付けるための第２取付部であって、前記シート体の中間部を介して前記第１取付部につながるとともに、前記第１面に取付面を備える、第２取付部と、
前記第１取付部と前記中間部との間に延びるように設けられる第１溝部であって、前記シート体における前記第１面の裏側の第２面に設けられる第１溝部と、
前記第２取付部と前記中間部との間に延びるように設けられる第２溝部であって、前記第２面に設けられる第２溝部と
を備えた、指挟み防止装置
を提供する。
【００１０】
好ましくは、前記第１面において、前記中間部に少なくとも１つの溝が設けられている。
【００１１】
好ましくは、前記シート体は、発砲シートである。
【考案の効果】
【００１２】
本考案の上記一態様に係る指挟み防止装置によれば、新規な構成を有し、ドア本体とドア枠との隙間への幼児等のうっかりした指の挟み込みを防ぐことが可能になる。
【図面の簡単な説明】
【００１３】
【図１】本考案の一実施形態に係る指挟み防止装置が適用されたドアの概略構成図である。
【図２】図１の指挟み防止装置を図１中上側から見たところを示す概略構成図であり、（ａ）は図１の状態での指挟み防止装置を、（ｂ）はドア本体が閉まった状態での指挟み防止装置を示す。
【図３】図１の指挟み防止装置の概略構成図であり、それをシート状に平らに延ばした状態での図１の上側に相当する位置からの図である。
【図４】図１の指挟み防止装置をロール状にしたところを模式的に示す図である。
【図５】（ａ）から（ｄ）はそれぞれ図１の指挟み防止装置の変形例としての指挟み防止装置を示す概略構成図である。
【図６】図１の指挟み防止装置の変形例としての指挟み防止装置を示す概略構成図であり、（ａ）は平らに延ばした状態の図であり、（ｂ）はドアへの取付時などにおける湾曲した状態の図である。
【考案を実施するための形態】
【００１４】
以下、本考案に係る実施形態を添付図に基づいて説明する。同一の部品（又は構成）には同一の符号を付してあり、それらの名称及び機能も同じである。したがって、それらについての詳細な説明は繰返さない。
【００１５】
図１は、本考案の一実施形態に係る指挟み防止装置１０が適用されたドア１１の概略構成図である。ドア１１においては、ドア本体１２は、蝶番つまりヒンジ１４によって、ドア枠１６の縦枠１６ａに取り付けられている。図１は、ドア本体１２がドア枠１６に対して約８０°開いた状態を示す。なお、図１では、１つのヒンジ１４のみを示すが、残りのヒンジ（図２参照）は指挟み防止装置１０によって隠れている。
【００１６】
図１の指挟み防止装置１０を、図１中上側から見たところを図２（ａ）に示す。また、図１においてドア本体１２が閉まった状態の指挟み防止装置１０を図２（ｂ）に示す。更に、図３は、指挟み防止装置１０の概略構成図であり、ドア本体１２及びドア枠１６に取り付ける前又はそれらから取り外した後などにおいて、シート状に平らに延ばした状態での、指挟み防止装置１０を図１の上側に相当する位置から見た図である。
【００１７】
図１から図３に示すように、指挟み防止装置１０は、１枚のシート２０を備えている。シート２０は、シート体であり、ここでは特に１枚の発泡シートとして構成されている。より具体的には、シート２０は、エチレン・酢酸ビニル共重合樹脂であるＥＶＡ樹脂（Ethylene Vinyl Acetate Copolymer）の発泡シート、つまりＥＶＡフォームである。しかし、シート２０は、他の素材で作製されたシート体であってもよい。シート２０は、合成樹脂製スポンジなどの種々の発泡シートであってもよく、例えばポリエチレンフォームつまりポリエチレンの発泡シートであってもよい。
【００１８】
シート２０は、柔軟であり、折り曲げたり、ロール状に丸めたりできる。つまり、シート２０は、可撓性を有する。例えば、図４は、図３のシート２０を、横方向Ｄ２に直交する方向である縦方向Ｄ１（図１参照）において、ロール状に丸めたところを模式的に示す。なお、シート２０は、横方向Ｄ２においても、ロール状に丸めることができる。したがって、図２（ａ）、（ｂ）に示すように、シート２０は、ドア１１の開閉にしたがって柔軟に変形することができる。
【００１９】
図３に示すように、指挟み防止装置１０つまりシート２０には、複数の溝部２２が設けられている。ここでは、５つの溝部２２（２２ａ、２２ｂ、２２ｃ、２２ｄ、２２ｅ）が設けられている。これらの溝部２２は、縦方向Ｄ１に延びるように設けられていて、略平行に延びる。縦方向Ｄ１に延びるように定められる中央面Ｃに関して左右対称に、指挟み防止装置１０つまりシート２０は形成されている。ここでは、全ての溝部の形状、大きさは概ね同じであるが、異なってもよい。５つの溝部のうちの両端の溝部２２ａ、２２ｂにより、シート２０は、両端の取付部２４ａ、２４ｂと、それらの間に延在する中間部２４ｃとに概ね分けられる。つまり、取付部２４ａ、２４ｂと中間部２４ｃとの間に延びるように、溝部２２ａ、２２ｂは設けられている。残りの３つの溝部は中間部２４ｃに設けられていて、そのうちの中央の溝部２２ｃは中央面Ｃ上に設けられている。溝部２２ｃの両側に溝部２２ｄ、２２ｅが設けられている。
【００２０】
以下、理解を容易にするため、図１及び図２の取付例又は配置例に従い、指挟み防止装置１０及びシート２０について説明する。なお、当業者には容易に理解できるように、指挟み防止装置１０及びシート２０はそれぞれ中央面Ｃに関して左右対称であるので、例えば溝部２２ａは溝部２２ｂになり得、取付部２４ａは取付部２４ｂになり得、これらの逆も同様である。
【００２１】
溝部（以下、第１溝部）２２ａにより実質的に境界付けられる、シート２０の横方向Ｄ２における一端部（以下、第１端部）側は、ドア本体１２に取り付けるための取付部（以下、第１取付部）２４ａを構成する。同様に、溝部（以下、第２溝部）２２ｂにより実質的に境界付けられる、シート２０の横方向Ｄ２における他端部（以下、第２端部）側は、ドア枠１６に取り付けるための取付部（以下、第２取付部）２４ｂを構成する。
【００２２】
第１取付部２４ａはドア本体１２への取付面を備え、第２取付部２４ｂはドア枠１６への取付面２４ｓを備える。これらの取付面２４ｓは、図３に示すように、シート２０の一方の面（以下、第１面）２０ａに定められている。第１取付部２４ａ及び第２取付部２４ｂのそれぞれの取付面２４ｓには、接続手段としての両面テープ２６が設けられている。両面テープ２６は繰り返し貼ったり剥がしたりできるとよいが、使い捨ての粘着テープであってもよい。ただし、取付手段は、両面テープに限定されず、他の構成を有してもよく、例えば面ファスナーであってもよい。
【００２３】
第１溝部２２ａ及び第２溝部２２ｂはそれぞれ、取付面２４ｓのある第１面２０ａの裏側の面（以下、第２面）２０ｂに設けられている。その他の溝部２２ｃ、２２ｄ、２２ｅはそれぞれ取付面２４ｓのある第１面２０ａに設けられている。
【００２４】
ここでは、指挟み防止装置１０のシート２０の縦方向の長さＬ１は１０００ｍｍであり、横方向Ｄ２の幅Ｌ２は１７０ｍｍであり、厚さＬ３は５ｍｍである。それ故、図１に示すように、指挟み防止装置１０は上記のごとく十分な可撓性を有し、かつ、ドア１１の開閉部分の略下半分のみを覆うように設けられるが、ドア１１の開閉部分の略全体を覆ってもよい。この場合、指挟み防止装置１０のシート２０の縦方向の長さＬ１はドア１１のドア本体１２の高さ１２Ｈと略等しい又はそれよりもわずかに短いとよく、例えば１８００ｍｍ又は２０００ｍｍであり得る。
【００２５】
第１取付部２４ａの取付面２４ｓの両面テープ２６の横方向Ｄ２の幅Ｌ４は、第１溝部２２ａから第１端部の縁までの長さＬ５よりも長い、ここではわずかに長いが、略同じであってもよい。幅Ｌ４を長さＬ５よりも長くして第１溝部２２ａの裏まで両面テープ２６を延長するように配置することで、図２に示すようにドア１１を開閉するときでもドア本体１２への両面テープ２６の接着をより好適に維持することができる。なお、これは、第２端部側の第２取付部２４ｂに関しても同様である。
【００２６】
そして、中間部２４ｃの溝部２２ｃ、２２ｄ、２２ｅの横方向の間隔Ｌ６は各溝の横方向の幅Ｌ７と略同じであるとよい。また、各溝２２の最大深さＬ８はシート２０の厚さＬ３の半分以上かつ３／４以下であるとよく、ここでは３ｍｍである。
【００２７】
ただし、Ｌ１〜Ｌ８の各寸法は上記寸法に限定されない。Ｌ１〜Ｌ８の各寸法は任意に設定可能である。Ｌ１〜Ｌ８の各寸法は、適用されるドアのサイズ、シート２０の所望の柔軟性つまり可撓性などに応じて定められるとよい。
【００２８】
上記構成を有する指挟み防止装置１０は、図１に示すように、シート２０の第１端部つまり第１取付部２４ａがドア本体１２に取り付けられ、シート２０の第２端部つまり第２取付部２４ｂがドア枠１６に取り付けられる。そして、シート２０は複数の溝部２２を備えているので、ドアの開閉時、その溝部２２で優先的に折り曲げが生じ、それにより図２（ａ）、（ｂ）に示すように容易かつ柔軟に曲がることができる。したがって、指挟み防止装置１０は、ドア１１の開閉を妨げることなく、ドア本体１２とドア枠１６との隙間への幼児等のうっかりした指の挟み込みをよりしっかりと防ぐことを可能にする。
【００２９】
特に、指挟み防止装置１０では、第１溝部２２ａ及び第２溝部２２ｂが、第２面２０ｂに設けられているので、図１及び図２に示す状態のとき潰れるように機能して、指挟み防止装置１０の変形を助ける。同様に、その他の溝部２２ｃ、２２ｄ、２２ｅは、第１面２０ａに設けられているので、例えば図２（ａ）、（ｂ）のようなドア１１の開閉のとき、それらのうちのいずれか１つ又は複数（全部を含む。）が潰れるように変形することができ、よって指挟み防止装置１０の好適な変形を助ける。
【００３０】
指挟み防止装置１０は種々の変更が可能である。例えば、上記指挟み防止装置１０では、溝部２２の各々の断面形状は図３に示すように略Ｕ字状であったが、その他の形状であってもよい。図５（ａ）に示す、指挟み防止装置１０の変形例の指挟み防止装置１０Ａでは、溝部２２の各々の断面形状は略Ｖ字形状である。
【００３１】
また、指挟み防止装置１０は、第１及び第２溝部２２ａ、２２ｂ以外に溝部２２ｃ、２２ｄ、２２ｅを備えた。しかし、図５（ｂ）に示す指挟み防止装置１０の変形例の指挟み防止装置１０Ｂのように、溝部２２ｃ、２２ｄ、２２ｅを備えなくてもよい。また、この場合にも、指挟み防止装置１０Ｂにおける溝部２２ａ、２２ｂの断面形状は略Ｕ字状であるが、異なる形状を有してもよい。図５（ｃ）に、略Ｖ字状の断面形状の溝部２２ａ、２２ｂを備える指挟み防止装置１０Ｃを指挟み防止装置１０Ｂの変形例として示す。
【００３２】
また、指挟み防止装置１０、１０Ａ、１０Ｂ、１０Ｃは、使用していないときシート２０は略平らになるように構成されていたが、当初から湾曲して形成されてもよい。図５（ｄ）は、略Ｕ字状に湾曲成形された中間部２４ｃを備える指挟み防止装置１０Ｄを示す。指挟み防止装置１０Ｄは第１及び第２溝部２２ａ、２２ｂを備える。指挟み防止装置１０Ｄの第１及び第２溝部２２ａ、２２ｂの断面形状は略Ｕ字状であるが、その他の形状、例えば略Ｖ字状であってもよい。
【００３３】
また、第１溝部２２ａの数は１つに限定されず、複数であってもよい。同様に、第２溝部２２ｂの数は１つに限定されず、複数であってもよい。更に、中間部２４ｃに設けられる溝部の数はゼロでも、１つでも、複数でもよい。図６に示す指挟み防止装置１０Ｅは、シート２０の第２面２０ｂに２つの第１溝部２２ａ（２２ａ１、２２ａ２）と２つの第２溝部２２ｂ（２２ｂ１、２２ｂ２）とを備え、シート２０の第１面２０ａにおいて中間部２４ｃに４つの溝部２２ｆ、２２ｇ、２２ｈ、２２ｉを備える。これらの溝部２２ａ、２２ｂ、２２ｆ〜２２ｉは、図６（ａ）に示すように略Ｖ字状の断面形状を有するが、その他の断面形状を、例えば略Ｕ字状の断面形状を有してもよい。これらの溝部２２ａ、２２ｂ、２２ｆ〜２２ｉは、図６（ｂ）に示すように、（例えば図１及び図２に示すように用いられて）湾曲するとき、潰れるように変形し、その湾曲変形を助ける。
【００３４】
以上、本考案の代表的な実施形態及び変形例について説明したが、本考案は種々の変更が可能である。本願の実用新案登録請求の範囲によって定義される本考案の精神及び範囲から逸脱しない限り、種々の置換、変更が可能である。上記実施形態の指挟み防止装置及びその変形例の種々の構成は、矛盾しない範囲で、種々組み合わせることができる。
【００３５】
なお、本考案の装置（又は器具）は、「不意に、或いは、不注意により」ドアに指を挟んでしまうことを防止する装置（又は器具）に係り、それを前提とした強度を有して構成されることに向けられている。そのため、本考案は、「意図的に、或いは、いたずらの延長で」ドアに指を挟んでしまうことを防止することに向けられていない。「ドアに指を挟んだらどうなるか」ということについての想像力や子供への指導は、本人や保護者が責を負うべきものである。
【符号の説明】
【００３６】
１０、１０Ａ、１０Ｂ、１０Ｃ、１０Ｄ、１０Ｅ  指挟み防止装置
１１  ドア
１２  ドア本体
１６  ドア枠
２０  シート
２２、２２ａ、２２ｂ、２２ｃ、２２ｄ、２２ｅ、２２ｆ、２２ｇ、２２ｈ、２２ｉ溝部
２６  両面テープ
【図１】
0003228126.tif 000003
【図２】
0003228126.tif 000004
【図３】
0003228126.tif 000005
【図４】
0003228126.tif 000006
【図５】
0003228126.tif 000007
【図６】
0003228126.tif 000008